(57)【要約】 【課題】  観光地に於いて、ユーザがオリジナルの記念印刷物を即時に取得することができること。【解決手段】  記念印刷物用印刷機は、被写体入力手段と、デジタル被写体情報を一時的に格納することができる記憶部と、被写体情報を取得してタッチパネル式の表示部に画像配列機能に基づき配列表示する画像処理手段と、ユーザ（観光客）が、表示部に表示されている複数個の画像の中から所望の画像を少なくとも一つ選択し得る画像選択手段と、この画像選択手段で選択された画像を拡大する画像拡大手段と、この画像拡大手段で拡大されている拡大画像に対して、ユーザがメッセージを書き込む接触状態に対応して拡大画像とメッセージを合成的に編集する編集手段と、この編集手段によって編集された記念印刷物を印刷する印刷機本体を備えている。【選択図】  図４
2006227960.tif 000002
【特許請求の範囲】
【請求項１】
被写体をデジタル情報として撮影することができる外部機器と、一方、この外部機器の前記デジタル被写体情報を取得することができると共に、観光地やホテルの床面に設置された筐体を含む記念印刷物用印刷機とから成る記念印刷物提供装置であり、前記記念印刷物用印刷機は、被写体入力手段と、この被写体入力手段を介して前記デジタル被写体情報を一時的に格納することができる記憶部と、この記憶部のデジタル被写体情報を取得してタッチパネル式の表示部に画像配列機能に基づき配列表示する画像処理手段と、少なくとも前記筐体の場所に現に存在しているユーザが、前記表示部に表示されている複数個の画像の中から所望の画像を少なくとも一つ選択し得る画像選択手段と、この画像選択手段で選択された画像を拡大する画像拡大手段と、この画像拡大手段で拡大されている拡大画像に対して、前記ユーザがメッセージを書き込む接触状態に対応して拡大画像とメッセージを合成的に編集する編集手段と、この編集手段によって編集された記念印刷物を印刷することができるように前記筐体内に組み込まれた印刷機本体を備えていることを特徴とする記念印刷物提供装置。
【請求項２】
請求項１に於いて、画像処理手段には、正しい認証カードが否かを判定するソフト起動用判定手段が接続していることを特徴とする記念印刷物提供装置。
【請求項３】
請求項１に於いて、記憶部には、当該観光地の景勝地、有名な建物等の観光名所情報２３ａ、ポストカード情報２３ｂ、ポストカードに適合するメッセージ情報２３ｃ、宛名情報２３ｄのいずれかが含まれていることを特徴とする記念印刷物提供装置。
【請求項４】
請求項１に於いて、記憶部２３にポストカード情報２３ｂが含まれている場合に於いて、印刷物は、ポストカードであることを特徴とする記念印刷物提供装置。
【請求項５】
請求項１に於いて、印刷物は、メッセージを含む記念写真であることを特徴とする記念印刷物提供装置。
【請求項６】
請求項１に於いて、画像処理手段には、印刷イメージを複数個に区分けして表示する印刷イメージ表示手段が接続していることを特徴とする記念印刷物提供装置。
【請求項７】
請求項１に於いて、筐体の上部には、傾斜状の窓部が設けられ、該窓部内に筐体に内装された画像処理手段２１と接続するタッチパネル２４ａの表示部２４が設けられていることを特徴とする記念印刷物提供装置。
【請求項８】
請求項７に於いて、筐体の窓部には、日除けが設けられていることを特徴とする記念印刷物提供装置。
【請求項９】
請求項１に於いて、筐体６の下部側には開閉扉７が設けられ、該開閉扉７には、把手付の錠前１６が設けられていることを特徴とする記念印刷物提供装置。
【請求項１０】
請求項１に於いて、印刷機２は、記念印刷物を直ぐ乾燥することができる放熱手段を有していることを特徴とする記念印刷物提供装置。
【請求項１１】
被写体をデジタル情報として撮影することができる外部機器と、一方、この外部機器の前記デジタル被写体情報を取得することができると共に、観光地やホテルの床面に設置された筐体を含む記念印刷物用印刷機とから成る記念印刷物提供装置であり、前記記念印刷物用印刷機は、被写体入力手段と、この被写体入力手段を介して前記デジタル被写体情報を一時的に格納することができる記憶部と、この記憶部のデジタル被写体情報を取得してタッチパネル式の表示部に画像配列機能に基づき配列表示する画像処理手段と、少なくとも前記筐体の場所に現に存在しているユーザが、前記表示部に表示されている複数個の画像の中から所望の画像を少なくとも一つ選択し得る画像選択手段と、この画像選択手段で選択された画像を拡大する画像拡大手段と、この画像拡大手段で拡大されている拡大画像に対して、前記ユーザがメッセージを書き込む接触状態に対応して拡大画像とメッセージを合成的に編集する編集手段と、この編集手段によって編集された記念印刷物を印刷することができるように前記筐体内に組み込まれた印刷機本体を備え、さらに、前記画像処理手段には、集金をしたか否か、或いはお金が入れたか否かをチェックするための課金管理手段が接続し、一方、印刷機にお金を入れたことがソフト起動のルーチンとなることを特徴とする記念印刷物提供装置。
【請求項１２】
請求項１１に於いて、編集手段は、ポストカードを編集することが可能であり、編集中に宛名情報を付加する場合には、表示部にタッチすることによって、所望する国の郵便番号の一覧表が表われることを特徴とする記念印刷物提供装置。
【発明の詳細な説明】
【技術分野】
【０００１】
本発明は、観光地における記念印刷物提供装置に関する。
【背景技術】
【０００２】
日本国特許庁のＨＰ（ホームページ）で調査した結果、本発明に最も近い先行技術して特許文献１を記載する。特許文献１には、次の記載がある。
【０００３】
「披露宴の進行中、寄せ書きモードにおいて、寄せ書き用として選択された写真画像を表示部に表示して、出席者によるメッセージの書き込み入力を行わせる。このように作成された合成画像は、内蔵のプリンタにより印刷され、かつ、その場で出席者に配布される」。
【０００４】
この特許文献１に記載の発明は、披露宴に出席した出席者が楽しみながら合成画像を編集することができ、しかも、その場でプリントを受け取ることのできる点で優れている。
【０００５】
しかしながら、次に列挙する問題点がある。
（１）特許文献１の発明は、記念写真しか作成することができない。（２）披露宴会場に設置するものであるから、表示部が大型スクリーンである。（３）出席者が直接メッセージを書き込むものでいない。（４）被写体や被写体情報が限られている。（５）屋外の設置に不向きである。なお、特許文献２も特許文献１と同様な問題点がある。
【特許文献１】特許公開２００４−１６６０１６号公報
【特許文献２】特開２００２−３２４９３号公報
【発明の開示】
【発明が解決しようとする課題】
【０００６】
本発明の主たる目的は、特許文献１の利点（即時取得性）を生かしつつ、新規なビジネスに誕生させることである。その他の目的、従属項によって特定し得る。
【課題を解決するための手段】
【０００７】
本発明の記念印刷物提供装置は、被写体をデジタル情報として撮影することができる外部機器と、一方、この外部機器の前記デジタル被写体情報を取得することができると共に、観光地やホテルの床面に設置された筐体を含む記念印刷物用印刷機とから成る記念印刷物提供装置であり、前記記念印刷物用印刷機は、被写体入力手段と、この被写体入力手段を介して前記デジタル被写体情報を一時的に格納することができる記憶部と、この記憶部のデジタル被写体情報を取得してタッチパネル式の表示部に画像配列機能に基づき配列表示する画像処理手段と、少なくとも前記筐体の場所に現に存在しているユーザが、前記表示部に表示されている複数個の画像の中から所望の画像を少なくとも一つ選択し得る画像選択手段と、この画像選択手段で選択された画像を拡大する画像拡大手段と、この画像拡大手段で拡大されている拡大画像に対して、前記ユーザがメッセージを書き込む接触状態に対応して拡大画像とメッセージを合成的に編集する編集手段と、この編集手段によって編集された記念印刷物を印刷することができるように前記筐体内に組み込まれた印刷機本体を備えていることを特徴とする。
【０００８】
上記構成に於いて、画像処理手段には正しい認証カードが否かを判定するソフト起動用判定手段が接続している。また、画像処理手段には、集金をしたか否か、或いはお金が投入されたか否かを判定する課金管理手段が接続している。さらに、記憶部には、当該観光地の景勝地、有名な建物等の観光名所情報、ポストカード情報、ポストカードに適合するメッセージ情報、宛名情報のいずれかが含まれている。その他の特徴は従属項に記載されている。
【発明の効果】
【０００９】
（１）ユーザＵは、旅行先の観光地やホテルにおいて、印刷機が存在するその場で、「オリジナルの記念印刷物Ｐ」を即時に取得することができる。
（２）外部機器の情報を、直ちに印刷機の記憶部に取り込み、かつ、ユーザＵが所望する画像に所望するメッセージＭを自由に書き込むことができる。
（３）外部機器を利用して観光地で取得したデジタルの被写体情報を利用して記念印刷物Ｐを商売人から受け取ることができる。したがって、コペルニクス的発想に基づき、新規なビジネスが誕生する可能性がある。
（４）記念印刷物Ｐの一例として「オリジナルのポストカード」を得ることができる。特に、記憶部の情報を利用すると、オリジナルのポストカードを簡単に作成することができる。
（５）具体的な構成の効果として、記憶部には、必要最低限度の被写体情報を格納すれば良い。
（６）屋外にも設置することができる。
（７）請求項によっては、勝手に印刷されない、集金を確実に確認することができる、表示部を太陽光線から守ることができる、悪戯や防犯性に優れている等の効果がある。
【発明を実施するための最良の形態】
【００１０】
以下、図１乃至図７に示す本発明を実施するための最良の形態により説明する。
【００１１】
（１）発明の実施の環境
ここでは、図１を参照にして、本発明の全体の環境を説明する。本発明の記念印刷物提供装置Ｘは、旅行先の観光地、ホテル、観光に関連する施設等にて被写体をデジタル情報として撮影することができる外部機器１と、一方、この外部機器１の前記デジタルの被写体情報ａを取得することができると共に、前記観光地やホテルの床面Ｆに設置された筐体６を含む記念印刷物用印刷機２とから成る。外部機器１は、デジタル式のカメラ機能を有することが条件である。
【００１２】
したがって、外部機器１には、デジタルカメラ、デジタルビデオ、カメラ付携帯電話、小型のパソコン等が含まれる。外部機器１は、デジタル化され画像情報（例えば観光地で店員や案内人が撮影した被写体情報ａ）を画像情報記憶媒体３に格納し、又は画像情報ａを印刷機２の図示しない受信機に送信することもできる。
【００１３】
それ故に、外部機器１は、印刷機２と画像信号としての被写体情報ａのやり取りができるものが全て含まれる。一方、画像情報記憶媒体３には、メモリーカード、コンパクトフラッシュ（登録商標）、スマートメディア（登録商標）、メモリーステック（登録商標）、フロッピー（登録商標）ディスク、書き込み可能ＣＤ、ＭＯ（光磁気）、その他外部機器１と被写体情報ａのやり取りができる画像情報記録媒体３が全て含まれる。
【００１４】
（２）印刷機２の外観構成
記念印刷物用印刷機２は、図２及び図３に示す筐体６と、該筐体に設けられた中央演算処理装置（ここでは、ＣＰＵを含む画像処理手段）２１に電気的に接続する主な手段（機能）２５，２６，２７，２８，３１，３２とから構成されている。停電時に使用可能なＵＰＳ等の電源、接続コード等の細部的事項は省略している。
【００１５】
まず、正面図と右側面図を参照にして印刷機２の外観構成を説明する。５は複数個のキャスター、６は開閉扉７を含む筐体、８は筐体６の上部の前面側に縦枠と横枠で矩形状、かつ、傾斜状に形成された窓部、９は窓部８の内側に傾斜状に設けられた表示部を有する操作パネル部分、１０は操作パネル部分９の上方に水平状態或いはやや傾斜状体に設けられた板状日除けである。本実施例の板状日除け１０は、ユーザＵの手荷物や印刷物を載せる支持台の機能もある。
【００１６】
次に、印刷機２の各部分について詳細に説明する。筐体６は縦長箱状に形成され、また、開閉扉７と傾斜状窓部８の高さ寸法は、略２対１の割合に設定されている。開閉扉７の上部には、少なくとも画像情報記録媒体３を挿入することができる挿入口１１と、認証カード１２を挿入することができる認証口１３が設けられている。
【００１７】
したがって、挿入口１１の内部には、画像情報記録媒体３に記録されているデジタル被写体情報ａを読み取る読み取り手段２２が配設され、また、認証口１３の内部には、正しい認証カードが否かを判定するソフト起動用判定手段３１等が配設されている。読み取り手段２２及び判定手段３１は、後述の画像処理手段２１に電気的に接続している。
【００１８】
また、開閉扉７の下部の中央部には、編集後の記念印刷物Ｐを取出すことができる取出し口１４が設けられている。記念印刷物Ｐは、例えば日時やメッセージを含む記念写真、少なくとも切手貼付欄を有するポストカード、西暦、日付、被写体等を含むカレンダー等である。
【００１９】
望ましくは、記念印刷物Ｐには、筐体の場所に現に存在しているユーザ（観光客）Ｕが印刷されている。また、開閉扉７の開閉端部の適宜箇所には、把手付の錠前１６が設けられている。
【００２０】
さらに、操作パネル部分９には、小型のスピーカ１７や幾つかの操作ポタン１８が設けられている。操作パネル部分９の表示部は、ＰＤＰ（プラズマディスプレイパネル）、液晶パネル、二枚の表示ガラスを含む有機ＥＬＤ、タッチスリクーン付モニター等の薄型表示手段が斜めに配設されている。入力手段の機能を有する表示部（タッチパネル）の大きさは、ユーザＵが印刷機２の前面で所望の画像にタッチ方式でメツセヘージを書くことができれば良いから、小さめ（例えば１５インチ、１７インチなど）に設定されている。その他特に図示しないが、印刷機２には、ＵＳＢ（ユニバーサルシリアルバス）規格に準拠した通信端子、ビデオ端子等が適宜に設けられている。
【００２１】
（３）ハードウエア構成図
図４は記念印刷物用印刷機2のハードウエア構成図である。まず、印刷機2の筐体６の内部には、図示しない取付け基板を介して中央演算処理装置（ここでは、ＣＰＵを含む画像処理手段）２１が設けられている。この画像処理手段２１には、外部機器１が搭載している画像情報記憶媒体３の被写体情報ａを取得することができる被写体入力手段２２が電気的に接続している。
【００２２】
被写体入力手段２２は、本実施例では、挿入口１１に設けられたデジタル情報の読み取り手段である。当然、画像処理手段２１は、被写体情報ａの取得から印刷完了までに必要な一時記憶、表示、選択、編集、印刷等の実行（制御）プログラムを備えている。
【００２３】
また、画像処理手段２１はＣＰＵであることから、演算や検索機能を有する。本実施例では、表示部の画面にタッチすると、後述する記憶部に格納されている各種の情報にアクセスし、かつ、検索・情報取得が可能である。
【００２４】
ところで、外部機器１の撮影は、観光地の店員、案内人（ここでは「商売人」という）が行う。したがって、被写体情報ａには、望ましくは観光地の景勝地、有名な建物、ユーザなどが含まれている。
【００２５】
次に、２３は被写体入力手段２２を介して前記デジタル被写体情報ａを一時的に格納することができる記憶部である。記憶部２３は、容量の大きいものが使用されている。本実施例では、当該観光地の景勝地、有名な建物等の観光名所情報２３ａ、ポストカードのフォーマット情報（以下、「ポストカード情報」という）２３ｂ、ポストカードに適合するメッセージ情報２３ｃ、宛名情報２３ｄが含まれている。
【００２６】
特に、前記宛名情報２３ｄには、国、郵便番号等の検索用情報も含まれている。例えば郵便番号を選択すると、ユーザＵの国及び住所まで表示部２４に表れる。
【００２７】
次に、画像処理手段２１にはタッチパネル２４ａを有する表示部２４が接続している。したがって、画像処理手段２１は、前記記憶部２３のデジタル被写体情報ａを取得して表示部２４に該被写体情報ａを表示すると共に、タッチパネル２４ａの入力信号に基づき制御信号を出力する。
【００２８】
本実施例の実行プログラムは、画像配列機能（例えばデジタル画像情報用のフォーマットのサムネイル）２５を有しているので、該画像配列機能２５に基づき、表示部２４に被写体情報ａを整列状態に表示する。
【００２９】
また、画像処理手段２１は画像選択手段２６を有している。この画像選択手段２６は、図２で示すように、筐体６の場所に現に存在しているユーザ（観光客）Ｕが、表示部２４に表示されている複数個の画像（写真情報）の中から所望の画像を少なくとも一つ選択すると、表示部２４には当該画像が描写される。この場合、ユーザＵは、タッチペンと称する入力手段又は指で画像に触れる。
【００３０】
さらに、本実施例では、画像処理手段２１は、前記画像選択手段２６で選択された画像を拡大する画像拡大手段２７と、この画像拡大手段２７で拡大されている拡大画像に対して、ユーザＵがタッチ方式でメッセージを書き込む接触状態に対応して拡大画像とメッセージを合成的に編集する編集手段２８をそれぞれ有している。
【００３１】
編集手段２８に於いて、ユーザＵは自由に書き込みすることができるが、例えば記憶部２３に格納されているメッセージ情報２３ｃにアクセスし、所望するメッセージを取得することも可能である。
【００３２】
記念印刷物Ｐは、ユーザＵ自身が自由に独創性のあるものを作成することができるので、例えばポストカードを作成する場合には、ポストカード情報２３ｂ、宛名情報２３ｄ等にアクセスし、かつ、所望するメッセージや宛名を特定画像に重ね合わせることができる。
【００３３】
ところで、本実施例では、画像処理手段２１には、さらに下記の機能が加味されている。これらの機能は、必要に応じて本発明（独立項）に限定し得る。
【００３４】
まず、本発明の実行（制御）プログラムが起動する、或いは印刷するためのルーチンとして、（ａ）筐体６には、画像処理手段２１と電気的に接続し、かつ、正しい認証カード１２が否かを判定するソフト起動用判定手段３１が設けられている。例えば認証カード１２が符合しない場合には、実行プログラムは起動しない、又は印刷することができない。
【００３５】
又は／及び（ｂ）また筐体６には、画像処理手段２１と電気的に接続し、かつ、集金をしたか否か、又は第２実施例のように、コイン投入口に所定金額以上のお金（例えばコイン）を投入したか否かを判定する課金管理手段３２が設けられている。
【００３６】
したがって、例えば図示しない商売人が「集金した旨を自己申告」し、又はユーザＵがお金を入れないと、実行プログラムは起動しない。なお、集金、お金の投入等に関する確認は適宜に成し得る（例えばセンサーの設置）。
【００３７】
加えて、画像処理手段２１には、印刷イメージを複数個に区分けして表示する印刷イメージ表示手段２９が電気的に接続している。その他の音発生手段、表示部の選択項目等の細部的事項の説明は割愛する。
【００３８】
最後に、筐体６の内部の下部には、編集手段２８によって編集された記念印刷物Ｐを印刷することができるように印刷機本体３５が組み込まれている。本実施例の印刷機本体３５は、印刷物としての台紙に対して熱を放射するハロゲンランプ３５ａ（放熱手段の一例）を備えている。
【００３９】
本実施例の編集手段２８は、後述するように、ポストカードを選択すると、記憶部２３のポストカード情報２３ｂが表示部２３に表れ、ユーザＵが所望する宛名まで印刷物に付することができる。
【００４０】
なお、印刷機本体３５は、インクジェトプリンター、ドットインパクトプリンタ、熱転写プリンタ、レーザプリンタ、新規なインクを有するプリンタ等を適宜に選択し得る。
【００４１】
（４）フロッーチャート
図５及び図６は、本発明のフロッーチャートである。なお、図６は図５に続き、構成要件に関連する基本的な流れを示している。したがって、電源ＯＮ、画面ｎにおけるＮｏ、画面１又は画面２に戻る等の説明は省略する。
【００４２】
まず、図５を参照にして初期の段階から所望の特定画像が現れるまで説明する。
Ｓ０１は、商売人が筐体６の認証口１３に正しい認証カード１２を挿入する。認証カード１２が正しいと、実行プログラムが起動（Ｓ０２）する。この場合、商売人が集金したか否かの課金管理手段３２の判定も初期の段階で行っても良いが、本実施例では、最終的な印刷段階で行うことにしている。
【００４３】
Ｓ０３は、印刷機２が外部機器１から電波、接続コード、記録媒体挿入等によりデジタルの被写体情報ａを取得する。Ｓ０４は、画像処理手段２１が被写体入力手段２２を介してデジタル被写体情報ａを取得すると、記憶部２３に被写体情報ａを一時的に保存する。
【００４４】
Ｓ０５は、画像処理手段２１が、少なくとも記憶部２３の被写体情報ａにアクセスし、かつ、画像配列機能２５を介して当該被写体情報ａを表示部２４にマトリックス状態に配列表示する（これを「画面１」とする）。
【００４５】
Ｓ０６は、ユーザＵが表示部２４に表示されている複数個の画像の中から所望の画像を少なくとも一つ選択（例えば指、タッチペンで接触）した結果、画像選択手段２６及び画像拡大手段２７を介して表示部２４に特定の画像が表れる（これを「画面２」とする）。
【００４６】
次に、図６を参照にして編集ないし印刷まで説明する。Ｓ０７は、筐体６の傍に存在しているユーザＵが、入力手段（例えばタッチペン）を介して画面２の特定画像に対して「メッセージＭ」を書き込みする。
【００４７】
本実施例では、編集手段２８は、タッチ方式でメッセージＭを書き込む接触状態に対応して特定画像とメッセージを合成的に編集する（これを「画面３」とする）。この場合、特定画像の上に文字情報や図形情報が重なる。
【００４８】
Ｓ０８は、ユーザＵが編集した画面３の合成画面を、「ポストカードにするか」、それとも「記念写真にするか」を選択する。この実施例では、ユーザＵはポストカードを所望した。その選択は表示部２４の図示しない選択項目又は操作ボタン１８を利用する。
【００４９】
Ｓ０９は、ユーザＵがポストカードを選択したので、記憶部２３のポストカード情報２３ｂが表示部２３に表れた。前述したように、ユーザＵは、所望するならば、宛名まで記念印刷物Ｐに付することができる。
【００５０】
そこで、Ｓ１０は、ユーザＵが宛名まで付すことを希望してので、図示しない選択項目又は操作ボタン１８を利用して記憶部２３の宛名情報２３ｄを表示部２３に表し、かつ、国や郵便番号を選択した。その結果、Ｓ１１は、ポストカード情報２３ｂに国・住所・氏名等のテキスト情報が加味された。
【００５１】
Ｓ１２は、商売人が集金したのを確認する。この場合、表示部２４に印刷イメージ表示手段２９を介して印刷イメージが複数個現れるので、ユーザＵは希望する画面を確認する。また、ユーザＵが確認したならば、筐体６の傍にいる商売人が、例えば操作ボタン１８を利用して確認する。
【００５２】
Ｓ１３は、課金管理手段３２が集金をした旨の信号を取得した後、印刷機本体３５を介して記念印刷物Ｐを印刷する。記念印刷物Ｐは、印刷機本体３５のハロゲンランプ３５ａにより素早く乾燥する。そして、記念印刷物Ｐは筐体６の取出し口１４から取出される。図７は、図面２と画面３の対比の一例を示す。
【００５３】
以上のように本発明は、印刷機２の外観構成、ハードウエア構成図及び基本的なフロッーチャートにおいて、それぞれ新規事項が存在し、該新規事項によって、ユーザＵが観光地において、その場で「オリジナルの記念印刷物Ｐ」を即時に取得することができる。
【実施例】
【００５４】
発明の実施の形態で示した実施例に於いて、画像処理手段２１には、当業者に自明な機能を付加することができる。また、ユーザＵが編集した記念印刷物Ｐの情報を希望する場合には、適宜に配布又は配信することもできる。
【００５５】
また、本実施例では、ユーザＵが、直接画像を選択する旨を説明したが、もちろん、商売人を介して画像を選択しても良い。また、「認証カード」がソフト起動のルーチンである旨を説明したが、該「認証カード」に代えて、図９で示すように、コイン投入に置換することも可能である。
【００５６】
さらに、「集金又はコインを投入したか否か」に関しては、印刷ルーチンではなく、実行（制御）プログラム起動ルーチンとしても良い（図８、図９参照）。このようにフローチャートの一部を変更しても、発明は実質的に同一である。
【００５７】
また、本実施例に於いて、印刷機２側の被写体入力手段２２が、外部機器１の画像情報記憶媒体３を介して被写体情報ａを入力する場合には、当然、筐体６には、各種外部機器１の画像情報記憶媒体３の種類に対応した単数又は複数の挿入口１１が設けられる。
【００５８】
また、Ｓ０７の編集に於いて、ユーザＵは、記憶部２３のメッセージ情報２３ｃを利用し、いわゆるタッチペンによるスタンプ方式でメッセージ情報を画像に付加することができる。
【００５９】
ここで、確認の意味で、図９を参照にして、第２実施例を説明する。第１実施例と同一の構成部分には、同一又は同様の符号を付し、重複する説明を省略する。
【００６０】
第２実施例に於いて、第１実施例と主に異なる構成は、認証口１３に代えて、窓部８或いは操作パネル部分９にコイン（トークンも含む）４０の投入口１３Ａを設けた点、筐体６内にコイン４０を案内するシュート４１を設けた点、シュート４１の適宜箇所に通過コイン４０を検出するセンサー４２を配設した点、筐体６内の下部に脱着自在なコイン収納箱４３を設置した点である。
【００６１】
このように構成すると、商売人が傍にいなくても、ユーザＵがコイン４０を印刷機２Ａのコイン投入口１３Ａに投入することにより、自由に編集、印刷等が可能になる（観光地、観光案内所、観光ホテル等に無人印刷機として設置可能）。
【００６２】
したがって、この第２実施例では、商売人が集金をしたか否か、或いはユーザＵがお金を印刷機２Ａに投入したか否かを管理（判定）する課金管理手段３２が必須要件であり、かつ、印刷機２Ａにお金が投入したことがソフト起動のルーチンとなる。このように構成しても、第１実施例と同一の目的を達成することができる。
【００６３】
最後に、編集中に宛名情報を付加する場合の一例を説明する。図１０に於いて、Ｓ１０１では、日本、中国、韓国等の国名が表われたので、例えば日本にタッチする。Ｓ１０２では、北海道、東北、関東などの広域が表われたので、例えば関東にタッチする。Ｓ１０３では、東京、千葉、埼玉等の下位層の県が表われたので、例えば東京にタッチする。Ｓ１０４では、下位層の東京２３区の郵便番号が一覧表になって表われたので、例えば００１−００１３にタッチする。Ｓ１０５では、郵便番号と共に宛名が表われたので、「ＯＫ」にタッチする。
【００６４】
ところで、上記は一例であり、Ｓ１０１の国名（例えば、日本）にタッチすると、直ちにＳ１０４の郵便番号の一覧表が表われるようにしても良い。また、郵便番号の一覧表の画面では、画面がタッチ方式により、左右上下にスクロールさせても良い。
さらに、Ｓ１０２では、各国の地図をそれぞれ表示し、該地図の座標に関連付けてＳ１０４の郵便番号が直ちに表われるようにしても良い。
【産業上の利用可能性】
【００６５】
本発明は、主に観光業界で利用される。
【図面の簡単な説明】
【００６６】
図１乃至図１０は本発明の最良の実施例を示す各説明図。
【図１】本発明の全体の環境を示す概略説明図。
【図２】印刷機の正面図。
【図３】印刷機の右側面図。
【図４】ハードウエア構成図。
【図５】本発明のフロッーチャートの前段部分。
【図６】本発明のフロッーチャートの後段部分。
【図７】本発明で得られる記念印刷物の一例を示す説明図。
【図８】集金或いは課金に関するフロッーチャートの他の実施例。
【図９】本発明の第２実施例を示す説明図。
【図１０】宛名を編集する場合の一例を示す説明図。
【符号の説明】
【００６７】
Ｘ…記念印刷物提供装置、Ｆ…床面、1…外部機器、ａ…被写体情報、２，２Ａ…記念印刷物用印刷機、３…画像情報記憶媒体、６…筐体、７…開閉扉、８…窓部、９…操作パネル部分、１０…日除け、１１…挿入口、１２…認証カード、１３…認証口、１３Ａ…コイン投入口、１４…取出し口、Ｐ…記念印刷物、１６…錠前、Ｕ…ユーザ（観光客）、２１…画像処理手段、２２…被写体入力手段、２３…記憶部、２３ｂ…ポストカード情報、２３ｄ…宛名情報、２４…表示部、２４ａ…タッチパネル、２５…画像配列機能（サムネイル）、２６…画像選択手段、２７…画像拡大手段、２８…編集手段、３１…ソフト起動用判定手段、３２…課金管理手段、３５…印刷機本体、４０…コイン。
【図１】
2006227960.tif 000003
【図２】
2006227960.tif 000004
【図３】
2006227960.tif 000005
【図４】
2006227960.tif 000006
【図５】
2006227960.tif 000007
【図６】
2006227960.tif 000008
【図７】
2006227960.tif 000009
【図８】
2006227960.tif 000010
【図９】
2006227960.tif 000011
【図１０】
2006227960.tif 000012